(57)【要約】      （修正有）【課題】電話サービス方法を提供する。【解決手段】申込者の電話番号および申込者から指定された電話番号を含む加入申請を申込者から受信するステップと、加入申請に対応して、申込者により指定された電話番号およびマッピング・テーブルに関連して申込者の電話番号に仮電話番号を割り当てるステップと、仮電話番号、申込者の電話番号、申込者によって指定された電話番号をマッピング・テーブルに格納し、申込者により指定された電話番号との相互通信のために、申込者の電話番号に仮電話番号をマッピングするステップとを含む。【選択図】図２
2010288251.tif 000002
【特許請求の範囲】
【請求項１】
仮電話番号領域、申込者の電話番号領域および指定された電話番号領域を規定するマッピング・テーブルによって構成されるサーバ（１）によって実行される電話サービス方法であって、
（Ａ）申込者の電話番号および申込者によって指定された電話番号を含む加入申請を申込者から受信するステップ、
（Ｂ）加入申請に対応して、申込者によって指定された電話番号およびマッピング・テーブルの指定された電話番号領域に関連して申込者の電話番号に仮電話番号を割り当てるステップ、
（Ｃ）マッピング・テーブルの仮電話番号領域、申込者の電話番号領域および指定された電話番号領域にそれぞれ仮電話番号、申込者の電話番号、申込者によって指定された電話番号を格納し、それにより、ステップ（Ａ）で受信した申込者により指定された電話番号との相互通信のために申込者の電話番号にステップ（Ｂ）で割り当てられた仮電話番号をマッピングするステップを含む、電話サービス方法。
【請求項２】
ステップ（Ｂ）は、
（ｂ１）ステップ（Ａ）で受信した申込者により指定された電話番号と同じ電話番号を指定された電話番号領域内に含むマッピング・テーブル内の全てのマッピング記録を検索するサブステップと、
（ｂ２）サブステップ（ｂ１）においてマッピング記録が見つかったとき、サブステップ（ｂ１）で見つかったマッピング記録の仮電話番号領域に格納された電話番号と異なる電話番号を提供するステップとを含み、
ステップ（Ｂ）で割り当てられる仮電話番号がサブステップ（ｂ２）で提供される電話番号である、請求項１に記載の電話サービス方法。
【請求項３】
サブステップ（ｂ２）で提供される電話番号は、サーバ（１）に設定された所定の仮電話番号のリストから選択される、請求項２に記載の電話サービス方法。
【請求項４】
ステップ（Ｂ）は、さらに、
（ｂ３）サブステップ（ｂ１）においてマッピング記録が見つからない場合、サーバ（１）に設定される所定の仮電話番号のリストから任意に選択することによって電話番号を提供するサブステップを含み、
ステップ（Ｂ）において割り当てられる仮電話番号は、サブステップ（ｂ３）において提供される電話番号である、請求項２に記載の電話サービス方法。
【請求項５】
ステップ（Ｂ）は、さらに、
（ｂ３）サブステップ（ｂ１）においてマッピング記録が見つからない場合、マッピング・テーブルの仮電話番号領域から任意に選択することによって電話番号を提供するサブステップを含み、
ステップ（Ｂ）において割り当てられる仮電話番号は、サブステップ（ｂ３）において提供される電話番号である、請求項２に記載の電話サービス方法。
【請求項６】
さらに、
（Ｄ）ステップ（Ａ）で受信した申込者の電話番号および申込者によって指定された電話番号を含む取消申請を申込者から受信するステップ、および
（Ｅ）取消申請に対応して、ステップ（Ｃ）で格納された仮電話番号、申込者の電話番号、および申込者によって指定された電話番号を含むマッピング記録をマッピング・テーブルから削除するステップを含む、請求項１に記載の電話サービス方法。
【請求項７】
サーバ（１）に接続されたサービス交換ポイント（ＳＳＰ）（２）が申込者から音声通信要求を受信したとき、ＳＳＰ（２）がサーバ（１）に申込者の電話番号および申込者によってダイヤルされた電話番号についての問合せを行う電話サービス方法であって、
（Ｆ）申込者の電話番号および申込者によってダイヤルされた電話番号を含む問合せ要求をＳＳＰ（２）から受信するステップ、
（Ｇ）問合せ要求に対応して、マッピング・テーブルにおいて、申込者の電話番号領域および指定された電話番号領域にそれぞれ申込者の電話番号および申込者によってダイヤルされた電話番号を格納したマッピング記録を検索するステップ、および
（Ｈ）マッピング記録がステップ（Ｇ）において見つかったとき、申込者の電話番号を見つかったマッピング記録の仮電話番号領域に格納された仮電話番号で置き換えるようにＳＳＰ（２）に指示するステップを含む、請求項１に記載の電話サービス方法。
【請求項８】
サーバ（１）に接続されたＳＳＰ（２）が利用者からの音声通信要求を受信したとき、ＳＳＰ（２）が利用者の電話番号および利用者によってダイヤルされた電話番号についてＳＳＰ（２）に問合せを行う電話サービス方法であって、さらに、
（Ｉ）利用者の電話番号および利用者によってダイヤルされた電話番号を含む問合せ要求をＳＳＰ（２）から受信するステップ、
（Ｊ）問合せ要求に対応して、マッピング・テーブルにおいて、指定された電話番号領域および仮電話番号領域にそれぞれ利用者の電話番号および利用者によってダイヤルされた電話番号を格納したマッピング記録を検索するステップ、および
（Ｋ）マッピング記録がステップ（Ｊ）において見つかったとき、見つかったマッピング記録の申込者領域に格納された電話番号に呼び出しを送るようにＳＳＰ（２）に指示するステップを含む、請求項１に記載の電話サービス方法。
【請求項９】
仮電話番号領域、申込者の電話番号領域および指定された電話番号領域を規定するマッピング・テーブルを格納した記憶装置（１２）、および
前記記憶装置（１２）に接続され、申込者の電話番号および申込者から指定された電話番号を含む加入申請を申込者から受信するように構成された処理装置（１１）を含み、
加入申請に対応して、前記処理装置（１１）は、申込者により指定された電話番号およびマッッピング・テーブルの指定された電話番号領域に関連して申込者の電話番号に仮電話番号を割り当て、マッピング・テーブルの仮電話番号領域、申込者の電話番号領域および指定された電話番号領域にそれぞれ割り当てられた仮電話番号、申込者の電話番号および受信した申込者により指定された電話番号を格納するように構成され、前記処理装置（１１）によって受信した申込者により指定された電話番号との相互通信のために、前記処理装置（１１）によって割り当てられた仮電話番号を申込者の電話番号にマッピングする、サーバ（１）。
【請求項１０】
加入申請に対応して、前記処理装置（１１）は、指定された電話番号領域内に前記処理装置（１１）によって受信した申込者により指定された電話番号と同じ電話番号を含むマッピング・テーブル内の全てのマッピング記録を検索するように構成され、マッピング記録が見つかったとき、前記処理装置（１１）は見つかったマッピング記録の仮電話番号領域に格納された電話番号と異なる電話番号を供給するように構成され、前記処理装置（１１）によって割り当てられる仮電話番号が前記処理装置（１１）によって供給される電話番号である、請求項９に記載のサーバ（１）。
【請求項１１】
前記記憶装置（１２）は、さらに所定の仮電話番号のリストを格納し、前記処理装置（１１）によって供給される電話番号は所定の仮電話番号のリストから選択される、請求項１０に記載のサーバ（１）。
【請求項１２】
前記記憶装置（１２）は、さらに所定の仮電話番号のリストを格納し、マッピング記録が見つからないとき、前記処理装置（１１）は所定の仮電話番号のリストから任意に選択することにより電話番号を供給するように構成され、前記処理装置（１１）により割り当てられる仮電話番号が前記処理装置（１１）によって供給される電話番号である、請求項１０に記載のサーバ（１）。
【請求項１３】
マッピング記録が見つからないとき、前記処理装置（１１）はマッピング・テーブルの仮電話番号領域から任意に選択することにより電話番号を供給するように構成され、前記処理装置（１１）によって割り当てられる仮電話番号が前記処理装置（１１）によって供給される電話番号である、請求項１０に記載のサーバ（１）。
【請求項１４】
前記処理装置（１１）は、前記処理装置（１１）によって受信した申込者の電話番号および申込者により指定された電話番号を含む取消申請を申込者から受信するように構成され、
前記取消申請に対応して、前記処理装置（１１）は、前記処理装置（１１）により格納された仮電話番号、申込者の電話番号、および申込者によって指定された電話番号を含むマッピング記録をマッピング・テーブルから削除するように構成された、請求項９に記載のサーバ（１）。
【請求項１５】
サーバ（１）に接続されたサービス交換ポイント（ＳＳＰ）（２）が申込者から音声通信要求を受信したとき、ＳＳＰ（２）は申込者の電話番号および申込者によってダイヤルされた電話番号についてサーバ（１）に問合せを行い、前記処理装置（１１）は、さらに申込者の電話番号および申込者によってダイヤルされた電話番号を含む問合せ要求をＳＳＰ（２）から受信するように構成され、問合せ要求に対応して、前記処理装置（１１）は、マッピング・テーブルにおいて、申込者の電話番号領域および指定された電話番号領域にそれぞれ申込者の電話番号および申込者によってダイヤルされた電話番号を格納したマッピング記録を検索するように構成され、マッピング記録が見つかったとき、前記処理装置（１１）は、申込者の電話番号を見つかったマッピング記録の仮電話番号領域に格納された仮電話番号で置き換えるようにＳＳＰ（２）に支持するように構成された、請求項９に記載のサーバ（１）。
【請求項１６】
サーバ（１）に接続されたＳＳＰ（２）が利用者から音声通信要求を受信したとき、ＳＳＰ（２）は利用者の電話番号および利用者によってダイヤルされた電話番号についてサーバ（１）に問合せを行い、前記処理装置（１１）は、さらに利用者の電話番号および利用者によってダイヤルされた電話番号を含む問合せ要求をＳＳＰ（２）から受信するように構成され、問合せ要求に対応して、前記処理装置（１１）は、マッピング・テーブルにおいて、指定された電話番号領域および仮電話番号領域に利用者の電話番号および利用者によってダイヤルされた電話番号を格納したマッピング記録を検索するように構成され、マッピング記録が見つかったとき、前記処理装置（１１）は、見つかったマッピング記録の申込者領域に格納された電話番号に呼び出しを送るようにＳＳＰ（２）に支持するように構成された、請求項９に記載のサーバ（１）。
【発明の詳細な説明】
【技術分野】
【０００１】
この出願は、２００９年６月１２日に出願された台湾特許出願第０９８１１９７２７号の優先権を主張する。
【０００２】
本発明は、電話サービス方法およびそれを実行するサーバに関する。
【背景技術】
【０００３】
従来の方法においては、固有の仮電話番号が、申込者の各電話番号に対して割り当てられる。
【０００４】
上述の従来の方法は、多くの仮電話番号が必要であるという点で不利である。さらに、申込者が彼（彼女）の申し込みをキャンセルすると、それに対して割り当てられた仮電話番号が他の申込者に再割り当てできるようになるまでに、一定の期間、すなわち時効期間が経過しなければならない。
【発明の概要】
【発明が解決しようとする課題】
【０００５】
したがって、本発明の目的は、このような従来技術の欠点を解決することができる電話サービス方法を提供することである。
【０００６】
また、本発明の他の目的は、このような電話サービス方法を実行するサーバを提供することである。
【課題を解決するための手段】
【０００７】
本発明の一態様によれば、電話サービス方法は、マッピング・テーブルを用いて設定されるサーバによって実行され、（Ａ）申込者の電話番号および申込者によって指定された電話番号を含む加入申請を申込者から受信するステップ、（Ｂ）加入申請に対応して、申込者によって指定された電話番号およびマッピング・テーブルの指定された電話番号領域に関連して申込者の電話番号に仮電話番号を割り当てるステップ、および（Ｃ）マッピング・テーブルの仮電話番号領域、申込者の電話番号領域、および指定された電話番号領域にそれぞれ仮電話番号、申込者の電話番号、申込者によって指定された電話番号を格納し、それによって、ステップ（Ａ）で受信した申込者により指定された電話番号との相互通信を築くためにステップ（Ｂ）で割り当てられた仮電話番号を申込者の電話番号にマッピングするステップを含む。
【０００８】
本発明の別の態様では、サーバは、記憶装置および処理装置を含む。記憶装置には、仮電話番号領域、申込者の電話番号領域および指定された電話番号領域を規定するマッピング・テーブルが格納される。処理装置は、記憶装置に接続され、申込者の電話番号および申込者によって指定された電話番号を含む加入申請を申込者から受信し、申込者によって指定された電話番号およびマッピング・テーブルの指定された電話番号領域に関連して申込者の電話番号に仮電話番号を割り当て、マッピング・テーブルの仮電話番号領域、申込者の電話番号領域、および指定された電話番号領域にそれぞれ割り当てられた仮電話番号、申込者の電話番号および受信した申込者により指定された電話番号を格納し、それによって、処理装置によって受信した申込者により指定された電話番号との相互通信を築くために申込者の電話番号に処理装置によって割り当てられた仮電話番号をマッピングするように動作可能である。
【０００９】
発明の他の特徴および利点は、添付図面を参照して行う以下の好適な実施形態の詳細な説明から明らかとなろう。
【図面の簡単な説明】
【００１０】
【図１】本発明によるサーバの好ましい実施例の回路ブロック図である。
【図２】図１に示されるサーバを使用して実行される本発明の電話サービス方法の好ましい実施例を示すフローチャートである。
【図３】図１に示されるサーバを使用して実行される本発明の電話サービス方法の好ましい実施例を示すフローチャートである。
【図４】図１に示されるサーバを使用して実行される本発明の電話サービス方法の好ましい実施例を示すフローチャートである。
【図５】図１に示されるサーバを使用して実行される本発明の電話サービス方法の好ましい実施例を示すフローチャートである。
【発明を実施するための形態】
【００１１】
図１を参照して、この発明によるサーバ１の好ましい実施例は、処理装置１１および記憶装置１２を含むことを示す。
【００１２】
本発明のサーバ１は、インテリジェント・ネットワーク（ＩＮ）とも呼ばれるインテリジェント電話通信ネットワークで使用される。
【００１３】
インテリジェント電話通信ネットワークは、互いに接続される複数のサービス交換ポイント（ＳＳＰ）２を含み、各々が複数の利用者端末３に接続される。
【００１４】
処理装置１１は、インテリジェント電話通信ネットワークのＳＳＰ２に接続される。本実施形態において、処理装置１１は、インテリジェント電話通信ネットワークのサービス制御ポイント（ＳＣＰ）に実装される。
【００１５】
記憶装置１２は処理装置１１に接続され、そこに、マッピング・テーブルおよび所定の仮電話番号のリストを格納する。本実施形態において、表Ｉに示すように、マッピング・テーブルにおける各マッピング記録は、仮電話番号領域、申込者の電話番号領域および指定された電話番号領域を規定する。
【００１６】
【表１】
2010288251.tif 000003
【００１７】
以下に示す方法で、処理装置１１は、例えば仮電話番号申請サービスのような電話サービスを利用者端末３の第１および第２の利用者（図示せず）に提供する。
【００１８】
この発明による上述のサーバ１によって実行される電話サービス方法の好ましい実施形態は、さらに図２を参照して記載されている。
【００１９】
ステップ４１において、処理装置１１は、ＳＳＰ２を通して第１の利用者、すなわち申込者の利用者端末３から加入申請を受信する。
【００２０】
このステップで受信する加入申請は第１の利用者の利用者端末３の電話番号、および第１の利用者によって指定される電話番号、例えば第２の利用者の利用者端末３の電話番号を含む。
【００２１】
ステップ４２において、加入申請に対応して、処理装置１１は、マッピング・テーブルにおいて、ステップ４１で受信した第１の利用者により指定された電話番号と同じ電話番号を指定された電話番号領域に含むすべてのマッピング記録を検索する。
【００２２】
ステップ４３において、マッピング記録がステップ４２で見つかると、フローはステップ４４へ進む。そうでなければ、すなわち、ステップ４２においてマッピング記録が見つからない場合、フローはステップ４５に進む。
【００２３】
ステップ４４において、処理装置１１は、ステップ４２で見つかったマッピング記録の仮電話番号領域に格納された電話番号と異なる仮電話番号を提供する。
【００２４】
本実施形態において、このステップで提供される仮電話番号は、所定の仮電話番号のリストから選択される。
【００２５】
ステップ４５において、処理装置１１は、例えば、所定の仮電話番号のリストから任意に選択することによって仮電話番号を提供する。
【００２６】
別の実施形態では、このステップで提供される仮電話番号は、マッピング・テーブルの仮電話番号領域から任意に選択される。
【００２７】
ステップ４６において、処理装置１１は、ステップ４１で受信した第１の利用者によって指定された電話番号との相互通信を築くために、第１の利用者の利用者端末３の電話番号にステップ４４または４５において提供された仮電話番号を割り当てる。
【００２８】
ステップ４７において、処理装置１１は、マッピング・テーブルの仮電話番号領域、申込者の電話番号領域、および指定された電話番号領域にそれぞれステップ４６で割り当てられた仮電話番号、第１の利用者の利用者端末の電話番号、およびステップ４１で受信した第１の利用者により指定された電話番号を格納し、それにより、ステップ４６で割り当てられた仮電話番号が、ステップ４１で受信した第１の利用者により指定された電話番号との相互通信を築くために、第１の利用者の利用者端末３の電話番号にマッピングされる。その後で、フローは、次の加入申請を処理するためのステップ４１に戻る。
【００２９】
上述の説明から、表Ｉに示すように、本発明の電話サービス方法は、マッピング・テーブルの指定された電話番号領域に格納された異なる電話番号、すなわち「０９２２−２２２２２２」および「０９２２−４４４４４４」との相互通信を築くために、同じ仮電話番号、すなわち「０９００−００００００」をマッピング・テーブルの申込者の電話番号領域に格納された異なる申込者の電話番号、すなわち「０９５５―１１１１１１」および「０９９９―９９９９９９」にマッピングする。このように、本発明の電話サービス方法は、所定の仮電話番号のリストにおいて、必要とする所定の仮電話番号が少なくなる。
【００３０】
さらに、ステップ４１で受信した第１の利用者によって指定された電話番号が「０９２２―４４４４４４」であるとき、処理装置１１は、指定された電話番号領域に電話番号「０９２２−４４４４４４」を格納するすべてのマッピング記録を検索し、第１の利用者の利用者端末３の電話番号に、ステップ４２で見つかったマッピング記録の仮電話番号領域に格納された仮電話番号、すなわち「０９００−０００００１」および「０９００−００００００」と異なる仮電話番号を割り当てる。
【００３１】
図３に示すように、電話サービス方法は、次の工程を更に含む。
【００３２】
ステップ４８において、ＳＳＰ２を介して第１の利用者の利用者端末３から、第１の利用者の利用者端末３の電話番号およびステップ４１で受信した第１の利用者により指定された電話番号を含む取消申請を受信する。
【００３３】
ステップ４９において、取消申請に対応して、仮電話番号、第１の利用者の利用者端末３の電話番号、および第１の利用者により指定された電話番号を格納するマッピング記録をマッピング・テーブルから削除する。
【００３４】
図４に示すように、電話サービス方法は、以下の次のステップを更に含む。
【００３５】
電話番号が第１の利用者の利用者端末３においてダイヤルされると、ＳＳＰ２は、第１の利用者の利用者端末３から、第１の利用者の利用者端末３の電話番号および第１の利用者の利用者端末３においてダイヤルされた電話番号、例えば第２の利用者の利用者端末３の電話番号を含む音声通信要求を受信する。
【００３６】
音声通信要求に対応して、ＳＳＰ２は、第１の利用者が仮電話番号申込者であるかどうかを判定する。そうであれば、ＳＳＰ２は、処理装置１１に、第１の利用者の利用者端末３の電話番号および第１の利用者の利用者端末３においてダイヤルされた電話番号について問い合わせる。そうでなければ、ＳＳＰ２は、標準手順に従って呼び出しを送る。
【００３７】
ステップ５０において、処理装置１１は、第１の利用者の利用者端末３の電話番号および第１の利用者の利用者端末３においてダイヤルされた電話番号、例えば第２の利用者の利用者端末３の電話番号を含むＳＳＰ２からの問合せ要求を受信する。
【００３８】
ステップ５１において、問合せ要求に対応して、処理装置１１は、マッピング・テーブルにおいて、申込者の電話番号領域および指定された電話番号領域にそれぞれ第１の利用者の利用者端末３の電話番号および第１の利用者の利用者端末３においてダイヤルされた電話番号を格納したマッピング記録を検索する。
【００３９】
ステップ５２において、マッピング記録がステップ５１で見つかると、見つかったマッピング記録の仮電話番号領域に格納された仮電話番号は、第１の利用者の利用者端末３の電話番号にマッピングされ、フローはステップ５３へ進む。そうでなければ、すなわち、ステップ５１でマッピング記録が見つからない場合、フローはステップ５４に進む。
【００４０】
ステップ５３において、処理装置１１はＳＳＰ２にステップ５０で受信した第１の利用者の利用者端末３の電話番号を仮電話番号で置き換えるように指示し、それによって、ＳＳＰ２は第１の利用者の利用者端末３の電話番号を見つかったマッピング記録の仮電話番号領域内の仮電話番号で置き換えて、第２の利用者の利用者端末３に呼び出しを送り、それによって、第２の利用者の利用者端末３は見つかったマッピング記録の仮電話番号領域内の仮電話番号を示し、それによって、第２の利用者には見つかったマッピング記録の仮電話番号領域内の仮電話番号が知らされる。
【００４１】
ステップ５４において、処理装置１１は、ＳＳＰ２に標準手順に従って呼び出しを送るように指示する。
【００４２】
図５に示すように、電話サービス方法は、次の工程を更に含む。
【００４３】
電話番号が利用者端末３においてダイヤルされると、ＳＳＰ２は、利用者端末３から、利用者端末３の電話番号および利用者端末３においてダイヤルされた電話番号、例えば、マッピング・テーブルの仮電話番号領域に格納され、第１の利用者の利用者端末３の電話番号にマッピングされた仮電話番号を含む利用者端末３からの音声通信要求を受信する。
【００４４】
音声通信要求に対応して、ＳＳＰ２は、ＳＳＰ２によって受信したダイヤルされた電話番号が仮電話番号であるかどうかを判定する。そうであれば、ＳＳＰ２は、処理装置１１に利用者端末３の電話番号およびダイヤルされた仮電話番号について問い合わせる。そうでなければ、ＳＳＰ２は、標準手順に従って呼び出しを送る。
【００４５】
ステップ５５において、処理装置１１は、ＳＳＰ２から利用者端末３の電話番号およびダイヤルされた仮電話番号を含む問合せ要求を受信する。
【００４６】
ステップ５６において、問合せ要求に対応して、処理装置１１は、マッピング・テーブルにおいて、指定された電話番号領域および仮電話番号領域にそれぞれ利用者端末３の電話番号およびダイヤルされた仮電話番号を格納したマッピング記録を検索する。
【００４７】
ステップ５７において、マッピング記録がステップ５６で見つかると、仮電話番号は見つかったマッピング記録の申込者の電話番号領域内の申込者の電話番号にマッピングされ、フローはステップ５８へ進む。そうでなければ、すなわち、ステップ５６でマッピング記録が見つからない場合、フローはステップ５９に進む。
【００４８】
ステップ５８において、処理装置１１は、見つかったマッピング記録の申込者の電話番号領域内の申込者の電話番号、すなわち第１の利用者の利用者端末３の電話番号に呼び出しを送るようにＳＳＰ２に指示する。
【００４９】
ステップ５９において、処理装置１１は双方向音声応答（ＩＶＲ）に呼び出しを送るようにＳＳＰ２に指示し、それによって、ＩＶＲは呼び出しが利用者端末３を介して確立できないことを示す。このように、第１の利用者のプライバシーは保護される。
【００５０】
上述した電話サービス方法が第１および第２の利用者の利用者端末３との間にショートメッセージまたはマルチメディア・メッセージを送信するために同様に適用できることは、当業者には容易に認められることができるものである。
【００５１】
本発明が最も実用的で好適な実施形態であると考えられるものに関連して記載されているが、この発明は、開示された実施形態に限らず、すべてのそのような変更および等価な構成を含むように最も広い解釈の精神および範囲内に含まれるさまざまな構成をカバーすることを目的とするものと理解される。
【符号の説明】
【００５２】
１  サーバ
２  サービス交換ポイント（ＳＳＰ）
１１  処理装置
１２  記憶装置
【図１】
2010288251.tif 000004
【図２】
2010288251.tif 000005
【図３】
2010288251.tif 000006
【図４】
2010288251.tif 000007
【図５】
2010288251.tif 000008